(57)【要約】【課題】  ダイナミックレンジを確保しつつ、所望の混色比で光出力を可能とする。【解決手段】  給電手段３００は、複数の光源１１に共通して電圧Ｖを印加し、比較回路４１０は、光源１１が発する異なる色光Ｒ，Ｇ，Ｂの光強度をそれぞれ取得し、該光強度と色光Ｒ，Ｇ，Ｂ毎に定められた所定の基準値ＳＡとを比較することで、複数の光源１１各々を駆動する駆動信号ＳＤを生成し、第１の制御部１００は、給電手段３００の電圧Ｖの変化に基づき、色光Ｒ，Ｇ，Ｂ毎に定められた基準値ＳＡを調整する。【選択図】図４
2017033645.tif 000002
【特許請求の範囲】
【請求項１】
異なる色の色光を出射する複数の光源と、  前記複数の光源に共通の電圧を印加する給電手段と、  要求される輝度に基づいて、前記複数の光源に共通して印加する電圧を調整可能な給電手段と、  前記光源が発する異なる色光の光強度をそれぞれ取得し、該光強度と前記色光毎に定められた所定の基準値とを比較することで、前記複数の光源各々を駆動するパルス信号を生成するパルス信号生成手段と、  前記パルス信号生成手段が生成する前記パルス信号に基づき前記光源をオンまたはオフする駆動手段と、  少なくとも前記電圧の変化に基づき、前記色光毎に定められた前記基準値を調整する基準値調整手段と、を備える、ことを特徴とする光源装置。
【請求項２】
所定の時間内における、前記パルス信号生成手段から前記駆動手段に前記パルス信号が伝達される期間割合を変更可能な期間割合変更手段をさらに備え、  前記期間割合変更手段は、前記要求される輝度が第１輝度と前記第１輝度よりも小さい第２輝度との間では、前記期間割合を第１の値で一定に保ち、前記第２輝度と前記第２輝度よりも小さい第３輝度との間では、前記期間割合を前記第１の値よりも小さい第２の値で一定に保つことで、前記期間割合を段階的に変化させ、且つ、  前記基準値調整手段は、前記要求される輝度が前記第１輝度と前記第２輝度との間では、前記第１輝度から前記第２輝度に向かうに従って前記光源のオン駆動が減少するように前記基準値を徐変し、前記期間割合が前記第１の値から前記第２の値に変化する変化点において前記基準値を大きくし、前記要求される輝度が前記第２輝度と前記第３輝度との間では、前記第２輝度から前記第３輝度に向かうに従って前記光源のオン駆動が減少するように前記基準値を徐変し、  前記要求される輝度が前記第１輝度から前記第３輝度までの間に重ならない第４輝度と前記第４輝度よりも小さい第５輝度との間では、前記第４輝度から前記第５輝度に向かうに従って、前記給電手段は、前記電圧を段階的または連続的に小さくし、前記基準値調整手段は、前記基準値を前記給電手段の前記電圧の変化に応じて断続的または連続的に小さくする、ことを特徴とする請求項１に記載の光源装置。 
【発明の詳細な説明】
【技術分野】
【０００１】
本発明は、画像を表示する際の照明光を出射する光源装置に関する。
【背景技術】
【０００２】
フィールドシーケンシャルカラー方式により画像を表示する表示装置として、反射型表示素子であるＤＭＤ（Digital Micro-mirror Device）を用いたものが特許文献１に開示されている。この種の表示装置は、外部からの映像信号に基づいて、光源装置が出射した照明光を、ＤＭＤが有する個々のミラーで反射させることで、カラーの画像を生成するものである。
【０００３】
特許文献１に開示された表示装置は、画像の輝度のダイナミックレンジを確保するため、発光色の異なる光源それぞれに印加する給電電圧と、光源をオン・オフさせるデューティー比と、の双方を制御している。
【先行技術文献】
【特許文献】
【０００４】
【特許文献１】特開２０１４−０６６９２０号公報
【発明の概要】
【発明が解決しようとする課題】
【０００５】
しかしながら、電圧の変化に対する光出力の変化率が発光色の異なる光源毎で異なるため、光源から出射される色光を合成した際の合成光のホワイトバランス（混色比）が崩れてしまうという問題があった。
【０００６】
本発明は、上記実情に鑑みてなされたものであり、ダイナミックレンジを確保しつつ、所望の混色比で光出力可能な光源装置を提供することを目的とする。
【課題を解決するための手段】
【０００７】
上記目的を達成するため、本発明に係る光源装置は、異なる色の色光を出射する複数の光源と、前記複数の光源に共通の電圧を印加する給電手段と、要求される輝度に基づいて、前記複数の光源に共通して印加する電圧を調整可能な給電手段と、前記光源が発する異なる色光の光強度をそれぞれ取得し、該光強度と前記色光毎に定められた所定の基準値とを比較することで、前記複数の光源各々を駆動するパルス信号を生成するパルス信号生成手段と、前記パルス信号生成手段が生成する前記パルス信号に基づき前記光源をオンまたはオフする駆動手段と、少なくとも前記電圧の変化に基づき、前記色光毎に定められた前記基準値を調整する基準値調整手段と、を備える、ものである。
【発明の効果】
【０００８】
本発明によれば、ダイナミックレンジを確保しつつ、所望の混色比で光出力を可能とする。
【図面の簡単な説明】
【０００９】
【図１】本発明の実施形態における表示装置の概略構成図である。
【図２】上記実施形態の表示装置における電気的構成を説明するためのブロック図である。
【図３】上記実施形態の光源駆動処理における要求輝度に対する（ａ）光出力Ｐ、（ｂ）制限信号、（ｃ）基準信号、（ｄ）電圧信号の関係を示す図である。
【図４】（ａ）〜（ｆ）は、サブフレーム処理における各種信号と駆動電流を説明するためのタイミングチャートである。
【図５】上記実施形態における論理回路の電気的構成を説明するためのブロック図である。
【図６】上記実施形態の光源駆動処理のフローチャートの例を示す図である。
【図７】上記実施形態のサブフレーム処理のフローチャートの例を示す図である。
【発明を実施するための形態】
【００１０】
以下に説明する実施形態は、本発明を容易に理解するために用いられ、当業者は、本発明が以下に説明される実施形態によって不当に限定されないことを留意すべきである。
【００１１】
以下に、本発明の表示装置及び光源装置の一実施形態を説明する。  図１は、本実施形態における表示装置１の構成を示す図である。本実施形態の表示装置１は、照明光Ｃを出射する光源部１０と、例えば凸レンズ等からなり、光源部１０から出射された照明光Ｃを表示素子３０に対応した大きさに調整する照明光学系２０と、照明光学系２０を通過した照明光Ｃを受光し、この照明光Ｃを空間光変調した画像光Ｌをスクリーン５０に向けて投影する表示素子３０と、表示素子３０からスクリーン５０に向かう画像光Ｌの光路上に配置される凸レンズ等からなり、表示素子３０からの画像光Ｌをスクリーン５０に効率良く投射する投射光学系４０と、投射光学系４０を通過した画像光Ｌを受光し、画像Ｍを表示するスクリーン５０と、から構成される。表示装置１には、例えば、車両に搭載される車両ＥＣＵ２が、有線または無線にて電気信号を授受可能に接続されている。本実施形態の表示装置１は、車両ＥＣＵ２から入力される要求輝度ＳＬに関する信号に基づいて、画像Ｍの輝度を調整することができる。
【００１２】
図１の表示素子３０は、可動式の複数のマイクロミラーを有するＤＭＤ（Ｄｉｇｉｔａｌ  Ｍｉｃｒｏ−ｍｉｒｒｏｒ  Ｄｅｖｉｃｅ）からなり、各ミラーがオンとオフとのいずれかの状態で制御されることで、光源部１０からの照明光Ｃを空間光変調してスクリーン５０上に画像Ｍを生成する。なお、表示素子３０には、例えば、ＤＭＤと同様の反射型表示素子であるＬＣｏＳ（登録商標：Ｌｉｑｕｉｄ  Ｃｒｙｓｔａｌ  ＯＮ  Ｓｉｌｉｃｏｎ）や、または液晶表示素子などの透過型の表示素子などを適用してもよい。
【００１３】
次に、本実施形態に係る光源部１０について詳細に説明する。
【００１４】
（光源部（光源装置）１０）  光源部（光源装置）１０は、図２に示すように、例えば、赤色光Ｒ、緑色光Ｇ、青色光Ｂなどの発光色の異なる複数の光源１１（１１ｒ，１１ｇ，１１ｂ）と、第１の制御部１００と、第２の制御部２００と、給電手段３００と、光源駆動手段４００と、光強度検出部５００と、を備える。これらは、例えば、光源部１０内に配設された図示しない回路基板に実装されている。なお、前記回路基板以外に、第１の制御部１００、第２の制御部２００、給電手段３００、光源駆動手段４００の一部または全部が実装されていてもよい。
【００１５】
第１の制御部１００は、例えば、図示しないＣＰＵ（処理部）、メモリ（記憶部）、入力インターフェース等を備える。前記処理部は、前記記憶部に予め記憶された表示装置１の動作に必要なプログラムを読み出し、実行することで各部を制御する。第１の制御部１００には、表示装置１の外部から画像Ｍを表示するための映像信号（図示しない）が入力され、また、第１の制御部１００には、車両ＥＣＵ２から要求輝度ＳＬが入力され、これらに基づき、光源１１の光出力Ｐを調整し、さらに第２の制御部２００を介して表示素子３０に所望の画像Ｍを表示させる。なお、第１の制御部１００は、車両ＥＣＵ２から入力される前記映像信号を、図示しない画像処理ＩＣなどを経由して第２の制御部２００に出力する。  なお、表示装置１の外部から入力される前記映像信号は、第１の制御部１００を経由せずに、後述する第２の制御部２００に、図示しない画像処理ＩＣなどを経由して、直接入力されてもよい。
【００１６】
第１の制御部１００は、光源１１を制御するために以下のように各部を制御する。  （１）第１の制御部１００は、車両ＥＣＵ２から入力される要求輝度ＳＬに基づいて基準信号（以下では、基準値とも呼ぶ）ＳＡを生成し、この基準信号ＳＡを比較回路４１０の一方の入力端子へ出力する。具体的に例えば、第１の制御部１００は、記憶部から要求輝度ＳＬと基準信号ＳＡとが対応したテーブルデータを参照し、取得した要求輝度ＳＬに対応したパルス信号（以下では、ＰＷＭ信号とも呼ぶ）を出力し、このパルス信号が図示しない積分回路からなるアナログ変換器によりアナログ信号である基準信号ＳＡに変換され、後述する比較回路４１０に出力される。なお、第１の制御部１００から出力される基準信号ＳＡを生成するためのパルス信号の周波数は３０ｋＨｚ以上であることが望ましい。  なお、要求輝度ＳＬに対応付けられた基準信号ＳＡの値の大きさは、光源１１が出射する光の色毎に異なる。すなわち、本実施形態の前記記憶部は、要求輝度ＳＬ毎に、各光源１１各々の基準信号ＳＡを対応させた前記テーブルデータを予め記憶している。前記テーブルデータは、図３（ｂ）に示されるように、要求輝度ＳＬが第１輝度ＳＬａとこの第１輝度ＳＬａよりも小さい第２輝度ＳＬｂとの間では、第１輝度Ｌａから第２輝度Ｌｂに向かうに従って光源１１のオン駆動が減少するように基準値ＳＡを漸減し、後述する期間信号ＳＣが第１の値Ｓｃａから第２の値Ｓｃｂに段階的に変化する変化点において基準信号ＳＡを大きくし、要求輝度ＳＬが第２輝度ＳＬｂとこの第２輝度ＳＬｂよりも小さい第３輝度ＳＬｃとの間では、第２輝度ＳＬｂから第３輝度ＳＬｃに向かうに従って光源１１のオン駆動が減少するように基準値ＳＡを漸減する。  なお、第１の制御部１００は、図４に示すように、異なる色を出射するサブフレームＦ１，Ｆ２，Ｆ３毎に、比較回路４１０に異なる大きさの基準信号ＳＡ（ＳＡｒ，ＳＡｇ，ＳＡｂ）を出力する。斯かる構成により、各色光の光強度検出信号ＳＦＢを共通の比較回路４１０で処理した場合でも、光源１１が出射する各色光の光量を適切に判定して調整することができる。  また、前記テーブルデータにおける基準信号ＳＡは、車両ＥＣＵ２より入力される要求輝度ＳＬが、予め定められ閾要求輝度ＳＬｐ以下であった場合、要求輝度ＳＬの変化に応じて、光源１１毎に個別に段階的または連続的に変化する。なお、後述する給電手段３００の電圧Ｖも、同様に、車両ＥＣＵ２より入力される要求輝度ＳＬが、予め定められ閾要求輝度ＳＬｐ以下であった場合、要求輝度ＳＬの変化に応じて、段階的または連続的に変化する。すなわち、車両ＥＣＵ２より入力される要求輝度ＳＬが、予め定められ閾要求輝度ＳＬｐ以下であった場合、給電手段３００の電圧Ｖの段階的または連続的な変化に応じて、光源１１毎に個別に基準信号ＳＡを変化させている。このように、給電手段３００の電圧Ｖに応じて、光源１１毎に基準信号ＳＡを変化させ、光源１１毎の光出力Ｐを調整することができるため、光源１１に印加される電圧が変化しても、照明光Ｃのホワイトバランス（混色比）を適切に調整することができる。
【００１７】
（２）また、第１の制御部１００は、第２の制御部２００を介し、論理回路４２０の入力端子へ光源１１を駆動する期間を規程する期間信号ＳＣを出力する。この期間信号ＳＣは、例えば、サブフレーム内で光源１１を駆動する期間を規程するオン／オフからなるデジタル信号であり、期間信号ＳＣがオンの間、光源１１の駆動を許可し、期間信号ＳＣがオフの間、光源１１の駆動を禁止し、サブフレーム内のオンする期間割合（以下では、期間割合とも呼ぶ）Ｔを調整することで、光源１１の光出力Ｐを調整可能である。  本実施形態の第１の制御部１００の前記記憶部は、要求輝度ＳＬ毎に、各光源１１各々の期間信号ＳＣを対応させた前記テーブルデータを予め記憶している。前記テーブルデータは、図３（ｃ）に示されるように、要求輝度ＳＬが第１輝度ＳＬａと第２輝度ＳＬｂとの間では、期間信号ＳＣ（期間割合Ｔ）を第１の値ＳＣａで一定に保ち、第２輝度ＳＬｂと第３輝度ＳＬｃとの間では、期間信号ＳＣ（期間割合Ｔ）を第１の値ＳＣａよりも小さい第２の値Ｓｃｂで一定に保つことで、期間信号ＳＣ（期間割合Ｔ）を段階的に変化させる。なお、第１の制御部１００は、図４に示すように、サブフレームＦ１，Ｆ２，Ｆ３毎に、論理回路４２０に異なる長さの期間割合Ｔ（Ｔ１，Ｔ２，Ｔ３）を有する期間信号ＳＣを出力する。このように、異なる色を出射するサブフレーム毎に、期間割合Ｔを調整することで、光源１１の混色比をより精度よく調整することができる。なお、期間信号ＳＣは、異なる色を出射するサブフレーム毎で、略均一な期間割合Ｔを有していてもよい。  また、前記テーブルデータにおける期間信号ＳＣは、車両ＥＣＵ２より入力される要求輝度ＳＬが、予め定められ閾要求輝度ＳＬｐ以下であった場合、要求輝度ＳＬの変化に依らず一定に保たれる。
【００１８】
（３）また、本実施形態の第１の制御部１００の前記記憶部は、要求輝度ＳＬ毎に、光源１１に供給する電圧Ｖを対応させた前記テーブルデータを予め記憶している。前記テーブルデータは、図３（ｄ）に示されるように、第１の制御部１００は、この前記テーブルデータを参照することで、要求輝度ＳＬに応じて、給電手段３００が光源１１に印加する電圧Ｖを調整する。具体的に例えば、第１の制御部１００は、車両ＥＣＵ２から入力した要求輝度ＳＬが閾要求輝度ＳＬｐ未満であるかを判定し、要求輝度ＳＬが閾要求輝度ＳＬｐ以上である場合、要求輝度ＳＬに依らず給電手段３００が光源１１に印加する電圧Ｖを一定にし、他方、要求輝度ＳＬが閾要求輝度ＳＬｐ未満である場合、要求輝度ＳＬに応じて給電手段３００が光源１１に印加する電圧を段階的または連続的に変化させる。
【００１９】
（４）また、本実施形態の第１の制御部１００の記憶部は、要求輝度ＳＬ毎に、各光源１１各々のゲイン調整信号ＳＧを対応させた前記テーブルデータを予め記憶している。第１の制御部１００は、異なる色を出射するサブフレーム毎に、この前記テーブルデータを参照してゲイン調整信号ＳＧを出力することで、増幅回路４４０における光強度検出信号ＳＦＢの増幅率を調整し、比較回路４１０に入力される光強度検出信号ＳＦＢの大きさ（振幅）を各色または全色で略均一にする。斯かる構成により、各色光の光強度検出信号ＳＦＢを共通の比較回路４１０で処理した場合でも、光源１１が出射する各色光の光量を適切に判定して調整することができる。
【００２０】
第２の制御部２００は、所望の機能をハードウェアで実現するＬＳＩ（Large Scale Integration）であり、例えば、ＡＳＩＣ（Application Specific Integrated circuit）やＦＰＧＡ（Field Programmable Gate Array）などから構成されている。また、第２の制御部２００には図示しない記憶部が接続されており、この記憶部には、第１の制御部１００からの信号に応じた期間信号ＳＣを出力するためのデータや、第１の制御部１００からの照明制御データに応じて光源１１の発光タイミングを制御するイネーブル信号ＥＮ（Ｒ−ＥＮ，Ｇ−ＥＮ，Ｂ−ＥＮ）を制御するためのデータや、第１の制御部１００からの表示制御データに応じて表示素子３０を制御するためのデータが格納されている。
【００２１】
給電手段３００は、電源ＩＣ（Integrated Circuit）、トランジスタを用いたスイッチング回路等からなる。給電手段３００は、車両のバッテリー（図示せず）からの電圧を低下させ、第１の制御部１００の制御のもとで、光源１１に適宜の値の電圧Ｖを印加する。給電手段３００は、図２に示すように光源１１ｒ，１１ｇ，１１ｂのアノード側に接続されている。このように、各色ＬＥＤのアノード側に、共通の供給電圧ラインを設けることにより、給電手段３００などの部品数や配線の数を削減することができる。なお、給電手段３００は、後述する光源駆動手段４００のＬＳＩ内に一体的に組み込まれてもよい。
【００２２】
光源駆動手段４００は、所望の機能をハードウェアで実現するＬＳＩであり、例えば、第２の制御部２００とは独立したＡＳＩＣやＦＰＧＡから構成されている。光源駆動手段４００は、比較回路４１０と、論理回路４２０と、スイッチ手段４３０と、増幅回路４４０と、を備え、光源１１が出射する照明光Ｃ（青色光Ｂまたは緑色光Ｇまたは赤色光Ｒ）の光強度に基づく光強度検出信号ＳＦＢを光強度検出部５００から増幅して入力し、この光強度検出信号ＳＦＢから光源１１を駆動するための駆動信号ＳＤを生成し、この駆動信号ＳＤに基づき、スイッチ手段４３０がオン／オフ動作することで、光源１１を点灯／消灯させるものである。
【００２３】
比較回路４１０は、比較器（Comparator）からなり、光強度検出
部５００（増幅回路４４０）が出力する光強度検出信号ＳＦＢと、第１の制御部１００が出力する基準信号ＳＡとの比較を行い、比較結果として比較信号ＳＢを論理回路４２０へ出力する。
【００２４】
論理回路４２０は、例えば、図５に示すように、第１ＡＮＤ回路４２１と、赤色ＡＮＤ回路４２２と、緑色ＡＮＤ回路４２３と、青色ＡＮＤ回路４２４とを備える。論理回路４２０は、第２の制御部２００からの期間信号ＳＣ，イネーブル信号ＥＮ（赤色イネーブル信号Ｒ−ＥＮ，緑色イネーブル信号Ｇ−ＥＮ，青色イネーブル信号Ｂ−ＥＮ）と、比較回路４１０からの比較信号ＳＢと、を入力し、これらＡＮＤ回路により、赤色光源１１ｒを駆動する赤色駆動信号ＳＤＲ、または緑色光源１１ｇを駆動する緑色駆動信号ＳＤＧ、または青色光源１１ｂを駆動する青色駆動信号ＳＤＢを、赤色スイッチ手段４３１，緑色スイッチ手段４３２，青色スイッチ手段４３３それぞれに出力するものである。
【００２５】
第１ＡＮＤ回路４２１は、第２の制御部２００からの期間信号ＳＣと比較回路４１０からの比較信号ＳＢとのＡＮＤ信号である駆動信号ＳＤを、各ＡＮＤ回路４２２，４２３，４２４に対して出力する。
【００２６】
赤色ＡＮＤ回路４２２は、第２の制御部２００からの赤色イネーブル信号Ｒ−ＥＮと第１ＡＮＤ回路４２１からの駆動信号ＳＤとのＡＮＤ信号である赤色駆動信号ＳＤＲを、赤色スイッチ手段４３１に出力する。また、緑色ＡＮＤ回路４２３も同様に、第２の制御部２００からの緑色イネーブル信号Ｇ−ＥＮと第１ＡＮＤ回路４２１からの駆動信号ＳＤとのＡＮＤ信号である緑色駆動信号ＳＤＧを、緑色スイッチ手段４３２に出力し、青色ＡＮＤ回路４２４も同様に、第２の制御部２００からの青色イネーブル信号Ｂ−ＥＮと第１ＡＮＤ回路４２１からの駆動信号ＳＤとのＡＮＤ信号である青色駆動信号ＳＤＢを、緑色スイッチ手段４３２に出力する。
【００２７】
スイッチ手段４３０は、例えば、ｎ型チャネルまたはｐ型チャネルのＦＥＴ（Field Effect Transistor）を用いたスイッチング回路からなる。スイッチ手段４３０は、論理回路４２０からの出力に応じてオン／オフ動作を行う。  スイッチ手段４３０、例えば、図２に示すように、赤色光源１１ｒのカソード側に接続される赤色スイッチ手段４３１、緑色光源１１ｇのカソード側に接続される緑色スイッチ手段４３２、青色光源１１ｂのカソード側に接続される青色スイッチ手段４３３を有する。赤色光源１１ｒに対応する赤色スイッチ手段４３１は、赤色ＡＮＤ回路４２２の出力がオン（Ｈｉｇｈ）を示すときにオン状態となり、これにより、赤色光源１１ｒに駆動電流ＩＲ（図４（ｆ）参照）が供給され、赤色光源１１ｒは赤色光Ｒを発する。赤色ＡＮＤ回路４２２の出力がオフ（Ｌｏｗ）を示すときにオフ状態となり赤色光源１１ｒは消灯状態となる。同様に、緑色光源１１ｇに対応する緑色ＡＮＤ回路４２３がオン状態のときに、緑色光源１１ｇは緑色光Ｇを発し、青色光源１１ｂに対応する青色ＡＮＤ回路４２４がオン状態のときに、青色光源１１ｂは青色光Ｂを発する。
【００２８】
このように構成される光源駆動手段４００により、図４（ｆ）に示すように、光源１１ｒ，１１ｇ，１１ｂの各々には、各イネーブル信号Ｒ，Ｇ，Ｂ−ＥＮが定める発光タイミングに従って駆動電流が供給されることになる。これにより、所定の期間（イネーブル信号がオンを示す期間）毎に、異なる色の光源１１ｒ，１１ｇ，１１ｂが順次点灯する（フィールドシーケンシャルカラー方式）。なお、図４（ｆ）に記したＩＲは赤色光源１１ｒに流れる駆動電流を示し、ＩＧは緑色光源１１ｇに流れる駆動電流を示し、ＩＢは青色光源１１ｂに流れる駆動電流を示す。
【００２９】
光強度検出部５００は、例えばフォトダイオードを有する受光素子からなり、光源１１が出射した照明光Ｃを受光し、光Ｒ、Ｇ、Ｂそれぞれの光強度を時分割で検出する。光強度検出部５００は、検出した発光強度を示す光強度検出信号ＳＦＢを光源駆動手段４００（増幅回路４４０）に出力する。以上に説明したように、本実施形態の光源部１０では、光強度検出部５００で入力した光源１１の発光強度を示す光強度検出信号ＳＦＢを入力し、光源駆動手段４００が、光強度検出信号ＳＦＢから駆動信号ＳＤ（赤色駆動信号ＳＤＲ，緑色駆動信号ＳＤＧ，青色駆動信号ＳＤＢ）を生成し、この駆動信号ＳＤに基づいて再び各色の光源１１を駆動するフィードバック制御を行うことで、光源１１が所望の発光強度になるように監視制御を行っている。
【００３０】
ここからは、図６，図７に示すフローチャートを主に参照して、光源部（光源装置）１０が実行する光源駆動処理を説明する。この処理は、例えば、表示装置１が起動されたことを契機として開始され、表示装置１が停止するまで繰り返される。
【００３１】
（光源駆動処理）  まず、光源部１０の第１の制御部１００は、ステップＳ１０において、車両ＥＣＵ２から外部の明るさを示す要求輝度ＳＬを入力する。
【００３２】
次に、第１の制御部１００は、ステップＳ２０において、入力した要求輝度ＳＬに対応する前記テーブルデータを前記記憶部から選択し、ステップＳ３０において、読みだした前記テーブルデータに基づき各種信号を出力する。具体的に例えば、第１の制御部１００は、前記記憶部を参照して、ステップＳ１０で入力した要求輝度ＳＬに関連づけられた電圧信号ＳＶと、同じくステップＳ１０で入力した要求輝度ＳＬに関連づけられた発光色の異なる光源１１の各々に設けられる基準信号ＳＡと、期間信号ＳＣと、ゲイン信号ＳＧと、を読み出し、基準信号ＳＡを比較回路４１０に出力し、期間信号ＳＣを第２の制御部２００（論理回路４２０）に出力し、ゲイン信号ＳＧを増幅回路４４０に出力し、電圧信号ＳＶを給電手段３００に出力する。そして、光源駆動手段４００が行うサブフレーム処理（ステップＳ４０）に移行する。
【００３３】
ステップＳ４０の前記サブフレーム処理は、１フレームを時分割したサブフレーム毎に処理を繰り返し、１フレームが終了してから前記サブフレーム処理を終了する。なお、このサブフレーム処理が終了しても表示装置１が停止するまでは、ステップＳ１０に戻って、光源駆動処理を繰り返す。以下に、前記サブフレーム処理のフローチャートを示す図７と、サブフレーム処理における各種信号と駆動電流を説明するためのタイミングチャートを示す図４とを用いて説明する。
【００３４】
（第１サブフレーム処理）  第１サブフレーム処理では、光源部１０の比較回路４１０は、増幅回路４４０を介して光強度検出部５００から、光源１１が出射した照明光Ｃの光強度に関連する値である光強度検出信号ＳＦＢを入力し（ステップＳ４１）、この光強度検出信号ＳＦＢと第１の制御部１００から入力する基準信号ＳＡとを比較し、オン／オフからなるパルス信号である比較信号ＳＢを生成する（ステップＳ４２）。具体的には、比較回路４１０は、図４（ｂ），（ｃ）に示すように、光強度検出信号ＳＦＢの値が、基準信号ＳＡが示す設定値を超えると、比較信号ＳＢをオフ（Ｌｏｗ）信号として出力する。このように比較信号ＳＢをオフとした場合、詳しくは後述するが、光源１１に流れる駆動電流が低下するため、光源１１が出射する照明光Ｃの光強度が低下し、光強度検出部５００で検出される光強度検出信号ＳＦＢの値が下降し、基準信号ＳＡの値を下回る。比較回路４１０は、光強度検出信号ＳＦＢの値が、基準信号ＳＡの値を下回ったタイミングで、今度は比較信号ＳＢをオン（Ｈｉｇｈ）信号として出力する。この動作を繰り返すことで、比較回路４１０は、オンとオフを繰り返すパルス信号である比較信号ＳＢを生成する。
【００３５】
ステップＳ４３において、論理回路４２０の第１ＡＮＤ回路４２１は、図４（ｃ），（ｄ），（ｅ）に示すように、第２の制御部２００（第１の制御部１００）からの期間信号ＳＣ（許可信号ＳＣ１及び禁止信号ＳＣ２）と、比較回路４１０からの比較信号ＳＢと、を論理積して駆動信号ＳＤを生成し、各ＡＮＤ回路４２２，４２３，４２４に対して出力する。  なお、第２サブフレーム処理においては、第１ＡＮＤ回路４２１は、比較信号ＳＢとオン（Ｈｉｇｈ）を示す信号及びオフ（Ｌｏｗ）を示す信号との論理積を駆動信号ＳＤとして出力することになるため、期間信号ＳＣがオン（Ｈｉｇｈ）である場合、比較信号ＳＢと同等のパルス信号である駆動信号ＳＤ（点灯信号ＳＤ１）を出力し、期間信号ＳＣがオフ（Ｌｏｗ）である場合、比較信号ＳＢのパルス信号に基づかない駆動信号ＳＤ（非点灯信号ＳＤ２）を、図５の各ＡＮＤ回路４２２，４２３，４２４に出力する。そして、各ＡＮＤ回路４２２，４２３，４２４は、第１ＡＮＤ回路４２１からの駆動信号ＳＤと、第２の制御部２００からのイネーブル信号ＥＮと、をＡＮＤ演算して各駆動信号ＳＤ（赤色駆動信号ＳＤｒ、または緑色駆動信号ＳＤｇ、または青色駆動信号ＳＤｂ）として、スイッチ手段４３０に出力する。
【００３６】
なお、期間信号ＳＣは、サブフレーム毎に定められた期間割合Ｔ（図４（ｄ）におけるＴ１，Ｔ２，Ｔ３）だけオン信号とし、それ以外の期間では、オフ信号とする。  第２の制御部２００は、比較回路４１０からのパルス信号である比較信号ＳＢのうち、各サブフレーム（Ｆ１，Ｆ２，Ｆ３・・・）の始めに入力された比較信号ＳＢのリーディングエッジ（パルス信号の立ち上がり）を契機に、予め定められた期間割合Ｔだけ論理回路４２０に対して点灯信号ＳＤ１を出力する。論理回路４２０は、この期間割合Ｔの間だけ比較信号ＳＢに基づくパルス信号である駆動信号ＳＤ（点灯信号ＳＤ１）を、各スイッチ手段４３０に対して出力し、それ以外のサブフレーム期間内では、比較信号ＳＢのパルス信号に基づかない駆動信号ＳＤ（非点灯信号ＳＤ２）を、各スイッチ手段４３０に対して出力する。
【００３７】
そして、スイッチ手段４３０は、駆動信号ＳＤに応じて、オン／オフ動作を行い、光源１１ｒ，１１ｇ，１１ｂを駆動する（ステップＳ４４）。このとき、図４（ｆ）に示される赤色光源１１ｒに流れる駆動電流Ｉｒ、緑色光源１１ｇに流れる駆動電流Ｉｇ、青色光源１１ｂに流れる駆動電流Ｉｂの振幅は、給電手段３００からの印加電圧により調整される。すなわち、ステップＳ３０で第１の制御部１００から給電手段３００に出力される電圧信号ＳＶにより調整される。  光源部１０は、１フレームが完了するまで、以上のサブフレーム処理Ｓ４０を繰り返す。
【００３８】
以上に説明したように、本実施形態における光源部（光源装置）１０は、異なる色の色光を出射する複数の光源１１と、複数の光源１１に共通の電圧Ｖを印加する給電手段３００と、要求される輝度ＳＬに基づいて、複数の光源１１に共通して印加する電圧Ｖを調整可能な給電手段３００と、光源１１が発する異なる色光Ｒ，Ｇ，Ｂの光強度をそれぞれ取得し、該光強度と色光Ｒ，Ｇ，Ｂ毎に定められた所定の基準値ＳＡとを比較することで、複数の光源１１各々を駆動するパルス信号（駆動信号）ＳＤを生成するパルス信号生成手段（比較回路）４１０と、パルス信号生成手段が生成する駆動信号ＳＤに基づき光源１１をオンまたはオフする駆動手段（スイッチ手段）４３０と、少なくとも電圧Ｖの変化に基づき、色光Ｒ，Ｇ，Ｂ毎に定められた基準値ＳＡを調整する基準値調整手段（第１の制御部）１００と、を備える。斯かる構成により、給電手段３００の電圧Ｖに応じて、光源１１毎に基準信号ＳＡを変化させ、光源１１毎の光出力Ｐを調整することができるため、光源１１に印加される電圧が変化しても、照明光Ｃのホワイトバランス（混色比）を適切に調整することができる。
【００３９】
また、所定の時間（サブフレーム）内における、比較回路４１０からスイッチ手段４３０に駆動信号ＳＤが伝達される期間割合Ｔを変更可能な期間割合変更手段（第１の制御部）１００をさらに備え、期間割合変更手段（制御部）１００は、要求される輝度ＳＬが第１輝度ＳＬａと第１輝度ＳＬａよりも小さい第２輝度ＳＬｂとの間では、期間信号ＳＣ（期間割合Ｔ）を第１の値ＳＣａで一定に保ち、第２輝度ＳＬｂと第２輝度ＳＬｂよりも小さい第３輝度ＳＬｃとの間では、期間信号ＳＣ（期
間割合Ｔ）を第１の値ＳＣａよりも小さい第２の値ＳＣｂで一定に保つことで、期間信号ＳＣ（期間割合Ｔ）を段階的に変化させ、且つ、基準値調整手段（第１の制御部）１００は、要求される輝度ＳＬが第１輝度ＳＬａと第２輝度ＳＬｂとの間では、第１輝度ＳＬａから第２輝度ＳＬｂに向かうに従って光源１１のオン駆動が減少するように基準値ＳＡを徐変（漸減）し、期間信号ＳＣ（期間割合Ｔ）が第１の値ＳＣａから第２の値ＳＣｂに変化する変化点において基準値ＳＡを大きくし、要求される輝度ＳＬが第２輝度ＳＬｂと第３輝度ＳＬｃとの間では、第２輝度ＳＬｂから第３輝度ＳＬｃに向かうに従って光源１１のオン駆動が減少するように基準値ＳＡを徐変（漸減）し、要求される輝度ＳＬが第１輝度ＳＬａから第３輝度ＳＬｃまでの間に重ならない第４輝度ＳＬｄと第４輝度ＳＬｄよりも小さい第５輝度ＳＬｅとの間では、第４輝度ＳＬｄから第５輝度ＳＬｅに向かうに従って、給電手段３００は、電圧Ｖを段階的または連続的に小さくし、基準値調整手段（第１の制御部）１００は、基準値ＳＡを給電手段３００の電圧Ｖの変化に応じて断続的または連続的に小さくする。
【００４０】
なお、本発明は、以上の実施形態及び図面によって限定されるものではない。本発明の要旨を変更しない範囲で、適宜、実施形態及び図面に変更（構成要素の削除も含む）を加えることが可能である。
【００４１】
上記実施形態において、複数の光源１１の各々の光出力Ｐは、車両ＥＣＵ２から入力される要求輝度ＳＬに基づいて調整されていたが、これに限られない。例えば、表示装置１は、外光強度を取得する照度センサを備え、この表示装置１に設けた照度センサからの照度信号に基づいて光源１１の光出力Ｐを調整（調光）してもよい。また、表示装置１や車両に設けられた図示しない操作部を設け、表示装置１は、この操作部の操作信号に基づいて調光してもよい。また、表示装置１は、車両のライトをオン・オフするスイッチの操作に応じて調光してもよい。
【符号の説明】
【００４２】
１      表示装置
２      車両ＥＣＵ
１０      光源部（光源装置）
１１      光源
２０      照明光学系
３０      表示素子
４０      投射光学系
５０      スクリーン
１００      第１の制御部
１１０      給電手段
２００      第２の制御部
３００      給電手段
４００      光源駆動手段
４１０      比較回路
４２０      論理回路
４３０      スイッチ手段
４４０      増幅回路
５００      光強度検出部
Ｃ      照明光
Ｌ      画像光
Ｌａ    第１輝度
Ｌｂ    第２輝度
Ｍ      画像
Ｐ      光出力
ＳＡ    基準信号（基準値）
ＳＢ    比較信号
ＳＣ    期間信号
ＳＣａ  第１の値
ＳＤ    駆動信号
ＳＧ    ゲイン信号
ＳＬ    要求輝度（輝度）
ＳＶ    電圧信号
Ｔ      期間割合
Ｖ      電圧
【図１】
2017033645.tif 000003
【図２】
2017033645.tif 000004
【図３】
2017033645.tif 000005
【図４】
2017033645.tif 000006
【図５】
2017033645.tif 000007
【図６】
2017033645.tif 000008
【図７】
2017033645.tif 000009